【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
ウェブブラウザを有する電子機器と、前記電子機器から前記ウェブブラウザを介してアクセスされ、前記電子機器による入出力機能を提供するウェブアプリケーションを有するサーバ装置と、を含む情報処理システムであって、
前記電子機器は、前記入出力機能を実行する操作画面に係る第１のウェブコンテンツであって、前記入出力機能の実行要求をするコンテンツを含む前記第１のウェブコンテンツを、前記サーバ装置にアクセスして前記サーバ装置から取得する前記ウェブブラウザを有し、
前記ウェブブラウザは、前記第１のウェブコンテンツを実行することにより、
前記第１のウェブコンテンツのｉｆｒａｍｅ内に、外部サーバから取得した第２のウェブコンテンツの表示画面を表示させ、
前記ｉｆｒａｍｅ内に表示された前記第２のウェブコンテンツの表示画面に対する操作の受け付けに応じて、前記第２のウェブコンテンツから、前記電子機器の前記入出力機能を利用するための要求を、前記第１のウェブコンテンツによって提供されるインタフェースで受け付け、
前記インタフェースで前記ｉｆｒａｍｅ内から受け付けた前記入出力機能を利用する処理を前記第１のウェブコンテンツを介して要求し、前記ｉｆｒａｍｅ内から受け付けた前記入出力機能を利用するための要求に対応する実行結果を前記サーバ装置に送信する
情報処理システム。
【請求項２】
前記実行結果は、
前記入出力機能を利用する処理の記録を含むことを特徴とする請求項１に記載の情報処理システム。
【請求項３】
前記入出力機能を利用する処理の記録は、
印刷処理の部数情報、カラー原稿及び白黒原稿の枚数、前記電子機器のカウンタ情報の少なくとも１つを含むことを特徴とする請求項２に記載の情報処理システム。
【請求項４】
前記入出力機能は画像形成機能であることを特徴とする請求項１に記載の情報処理システム。
【請求項５】
前記サーバ装置は、
前記第２のウェブコンテンツの提供者による前記第２のウェブコンテンツの設定情報の登録を受け付けるアプリ情報設定部を有することを特徴とする請求項１に記載の情報処理システム。
【請求項６】
前記電子機器は、
前記第１のウェブコンテンツからの要求に基づいて、前記インタフェースで受け付けた前記入出力機能を利用する処理を実行する入出力処理部を有することを特徴とする請求項１に記載の情報処理システム。
【請求項７】
前記入出力処理部は、
前記処理の要求元が、前記第１のウェブコンテンツとは異なる場合、該処理の要求を拒否、又は無視するＡＰＩ制御部を有する請求項６に記載の情報処理システム。
【請求項８】
ウェブブラウザを有する電子機器と、前記電子機器から前記ウェブブラウザを介してアクセスされ、前記電子機器による入出力機能を提供するウェブアプリケーションを有するサーバ装置と、を含む情報処理システムによる情報処理方法であって、
前記電子機器は、前記入出力機能を実行する操作画面に係る第１のウェブコンテンツであって、前記入出力機能の実行要求をするコンテンツを含む前記第１のウェブコンテンツを、前記サーバ装置にアクセスして前記サーバ装置から取得する前記ウェブブラウザを有し、
前記ウェブブラウザは、前記第１のウェブコンテンツを実行することにより、
前記第１のウェブコンテンツのｉｆｒａｍｅ内に、外部サーバから取得した第２のウェブコンテンツの表示画面を表示させ、
前記ｉｆｒａｍｅ内に表示された前記第２のウェブコンテンツの表示画面に対する操作の受け付けに応じて、前記第２のウェブコンテンツから、前記電子機器の前記入出力機能を利用するための要求を、前記第１のウェブコンテンツによって提供されるインタフェースで受け付け、
前記インタフェースで前記ｉｆｒａｍｅ内から受け付けた前記入出力機能を利用する処理を前記第１のウェブコンテンツを介して要求し、前記ｉｆｒａｍｅ内から受け付けた前記入出力機能を利用するための要求に対応する実行結果を前記サーバ装置に送信する
情報処理方法。
【請求項９】
ウェブブラウザを有する電子機器から、前記ウェブブラウザを介してアクセスされ、前記電子機器による入出力機能を提供するウェブアプリケーションを有する情報処理装置であって、
前記電子機器による前記入出力機能を実行する操作画面に係る第１のウェブコンテンツであって、前記入出力機能の実行要求をするコンテンツを含む前記第１のウェブコンテンツを、前記電子機器に提供する機器アプリ配信部を有し、
前記第１のウェブコンテンツは、前記ウェブブラウザに、
前記第１のウェブコンテンツのｉｆｒａｍｅ内に、外部サーバから取得した第２のウェブコンテンツの表示画面を表示させる機能と、
前記ｉｆｒａｍｅ内に表示された前記第２のウェブコンテンツの表示画面に対する操作の受け付けに応じて、前記第２のウェブコンテンツから、前記電子機器の前記入出力機能を利用するための要求を、前記第１のウェブコンテンツによって提供されるインタフェースで受け付ける機能と、
前記インタフェースで前記ｉｆｒａｍｅ内から受け付けた前記入出力機能を利用する処理を前記第１のウェブコンテンツを介して要求し、前記ｉｆｒａｍｅ内から受け付けた前記入出力機能を利用するための要求に対応する実行結果を前記情報処理装置に送信する機能と、
を実現させることを特徴とする情報処理装置。
【請求項１０】
ウェブブラウザを有する電子機器から、前記ウェブブラウザを介してアクセスされ、前記電子機器による入出力機能を提供するウェブアプリケーションを有する情報処理装置を、
前記電子機器による前記入出力機能を実行する操作画面に係る第１のウェブコンテンツであって、前記入出力機能の実行要求をするコンテンツを含む前記第１のウェブコンテンツを、前記電子機器に提供する機器アプリ配信部として機能させ、
前記第１のウェブコンテンツは、前記ウェブブラウザに、
前記第１のウェブコンテンツのｉｆｒａｍｅ内に、外部サーバから取得した第２のウェブコンテンツの表示画面を表示させる機能と、
前記ｉｆｒａｍｅ内に表示された前記第２のウェブコンテンツの表示画面に対する操作の受け付けに応じて、前記第２のウェブコンテンツから、前記電子機器の前記入出力機能を利用するための要求を、前記第１のウェブコンテンツによって提供されるインタフェースで受け付ける機能と、
前記インタフェースで前記ｉｆｒａｍｅ内から受け付けた前記入出力機能を利用する処理を前記第１のウェブコンテンツを介して要求し、前記ｉｆｒａｍｅ内から受け付けた前記入出力機能を利用するための要求に対応する実行結果を前記情報処理装置に送信する機能と、
を実現させることを特徴とするプログラム。
【手続補正２】
【補正対象書類名】明細書
【補正対象項目名】０００８
【補正方法】変更
【補正の内容】
【０００８】
上記の課題を解決するため、本発明の一実施形態に係る情報処理システムは、ウェブブラウザを有する電子機器と、前記電子機器から前記ウェブブラウザを介してアクセスされ、前記電子機器による入出力機能を提供するウェブアプリケーションを有するサーバ装置と、を含む情報処理システムであって、前記電子機器は、前記入出力機能を実行する操作画面に係る第１のウェブコンテンツであって、前記入出力機能の実行要求をするコンテンツを含む前記第１のウェブコンテンツを、前記サーバ装置にアクセスして前記サーバ装置から取得する前記ウェブブラウザを有し、前記ウェブブラウザは、前記第１のウェブコンテンツを実行することにより、前記第１のウェブコンテンツのｉｆｒａｍｅ内に、外部サーバから取得した第２のウェブコンテンツの表示画面を表示させ、前記ｉｆｒａｍｅ内に表示された前記第２のウェブコンテンツの表示画面に対する操作の受け付けに応じて、前記第２のウェブコンテンツから、前記電子機器の前記入出力機能を利用するための要求を、前記第１のウェブコンテンツによって提供されるインタフェースで受け付け、前記インタフェースで前記ｉｆｒａｍｅ内から受け付けた前記入出力機能を利用する処理を前記第１のウェブコンテンツを介して要求し、前記ｉｆｒａｍｅ内から受け付けた前記入出力機能を利用するための要求に対応する実行結果を前記サーバ装置に送信する。